【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
製品であって、
摂取可能な物質を保持するようにサイズ設定された第１の空洞を有する容器と、
前記容器からの経路を形成する送達ノズルであって、近位部分および遠位部分を含み、前記近位部分は、消費者の口に受け入れられるようにサイズ設定され適合され、前記近位部分は、さらに、前記摂取可能な物質を前記消費者の前記口に送達するように適合された前記経路からの出口開口を有する、送達ノズルと、
前記送達ノズルに関連付けられ、内部の前記摂取可能な物質にアクセスするために前記容器の前記第１の空洞に関連付けられた供給機構を有する弁機構であって、前記摂取可能な材料の、前記第１の空洞内の前記供給機構の入口開口から、前記送達ノズルによって形成された前記経路を通り、前記送達ノズルの前記出口開口までの流れを調節するように構成された弁を有する、弁機構と、
消費者操作可能な流れ制御装置であって、前記消費者が前記消費者操作可能な流量制御装置に加えた物理力に基づいて、流れ無しと最大流量の間で前記流れを変化させるように前記弁を制御する、消費者操作可能な流れ制御装置と、
推進機構であって、前記弁が前記消費者操作可能な流れ制御装置によって制御されたとき、前記摂取可能な物質を前記消費者の前記口に送達するために、前記摂取可能な物質を、前記供給機構を通り、前記送達ノズルの前記遠位部分から出るように推進するのに十分な正圧を前記第１の空洞内に生成するように構成される、推進機構とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、製品。
【請求項２】
前記弁機構が、前記送達ノズルの前記遠位部分に関連付けられる、請求項１に記載の製品。
【請求項３】
前記送達ノズルの前記近位部分を通る前記経路が、前記経路から前記遠位部分を通って角度付けされる、請求項１に記載の製品。
【請求項４】
前記容器の前記第１の空洞に連結された発泡機構であって、発泡剤を用いて、前記摂取可能な物質を非発泡状態から発泡状態に変換し、前記送達ノズルの前記出口開口から退出させるように適合された発泡機構をさらに備える、請求項１に記載の製品。
【請求項５】
前記発泡機構が、前記消費者操作可能な流れ制御装置の作動に基づいて制御される、請求項４に記載の製品。
【請求項６】
前記摂取可能な物質が飲料を含む、請求項１に記載の製品。
【請求項７】
前記摂取可能物質が、流動可能な食品材料を含む、請求項１に記載の製品。
【請求項８】
前記送達ノズルの前記近位部分が、前記出口開口に可撓性部材を少なくとも部分的に含む、請求項１に記載の製品。
【請求項９】
前記弁と前記送達ノズルの前記出口開口との間の前記経路が、可撓性である、請求項１に記載の製品。
【請求項１０】
前記推進機構が、前記第１の空洞への消費者操作可能な導管の作動時に前記第１の空洞に導入される推進剤を含む、請求項１に記載の製品。
【請求項１１】
前記容器が、前記消費者操作可能な導管によって前記第１の空洞に結合された第２の空洞を含み、前記第２の空洞は、前記第１の空洞内に前記正圧を作り出す推進剤を含む、請求項１に記載の製品。
【請求項１２】
前記推進剤が気体である、請求項１０に記載の製品。
【請求項１３】
前記推進機構が、前記弁の前記消費者操作可能な流れ制御装置の作動時に前記第１の空洞から混合チャンバに導入される気体推進剤を含み、前記気体推進剤は、前記摂取可能な物質を非発泡状態から発泡状態に変換して前記送達ノズルの出口開口を退出させる発泡剤である、請求項４に記載の製品。
【請求項１４】
前記摂取可能な物質を前記発泡状態に変換する前記気体割合の量が、前記消費者操作可能な流れ制御装置によって制御可能である、請求項１３に記載の製品。
【請求項１５】
製品であって、
摂取可能な物質を非発泡状態で保持するための第１の空洞を有する容器と、
前記容器の前記第１の空洞からの経路を形成する送達ノズルであって、前記容器から延びる遠位部分と、消費者の口に受け入れられるようにサイズ設定され適合された近位部分であって、前記摂取可能な物質を前記消費者の前記口に直接送達するように適合された前記経路からの出口開口を有する、近位部分とを備える、送達ノズルと、
前記送達ノズルの前記経路を通る前記摂取可能な物質の通過を制御する弁であって、前記送達ノズルに結合された近位部分と、前記容器の前記第１の空洞に関連付けられた遠位部分とを有する、弁と、
前記弁に連結された消費者操作可能な流れ制御装置であって、前記摂取可能な物質の、前記第１の空洞から、前記送達ノズルの前記経路を通り、前記出口開口から出る流れを制御し、調節する、消費者操作可能な流れ制御装置と、
前記弁の前記遠位部分に結合された近位端部と、前記第１の空洞内に配置された第１の遠位端部であって、入口開口を有する、遠位端部とを有する供給機構と、
前記第１の空洞に連結された推進機構であって、前記弁の前記消費者可能な流れ制御装置の作動に基づいて、前記摂取可能な物質を前記消費者の前記口に送達するために、前記摂取可能な物質を、前記入口開口に入り、前記供給機構を通り、前記送達ノズルの前記遠位部分の前記出口開口から出るように推進する、推進機構とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から地心までのベクトルとの間の角度は、９０度を上回る、製品。
【請求項１６】
製品であって、
摂取可能な物質を非発泡状態で保持するための第１の空洞を有する容器と、
前記容器の前記第１の空洞からの経路を形成する送達ノズルであって、前記容器から延びる遠位部分と、消費者の口に受け入れられるようにサイズ設定され適合された近位部分であって、前記摂取可能な物質を前記消費者の前記口に直接送達するように適合された前記経路からの出口開口を有する、近位部分とを備える、送達ノズルと、
前記送達ノズルの前記経路を通る前記摂取可能な物質の流れを制御する弁であって、前記送達ノズルに結合された近位部分と、前記容器の前記第１の空洞内の供給機構に関連付けられた遠位部分とを有し、前記供給機構は入口開口を有する、弁と、
前記弁に連結された消費者操作可能な流れ制御装置であって、前記弁を制御し、前記摂取可能な物質の、前記第１の空洞から、前記送達ノズルの前記経路を通り、前記出口開口から出る流れを調節する流れ制御装置と、
前記第１の空洞に関連付けられた推進機構であって、前記摂取可能な物質を前記送達ノズルの前記出口開口に送達するために、前記弁の前記消費者操作可能な流れ制御装置の作動に基づいて、装置前記摂取可能な物質を、前記供給機構を通るように推進する、推進機構と、
前記摂取可能な物質を前記非発泡状態から発泡状態に変換して前記送達ノズルの前記出口開口から前記発泡状態で退出させる発泡剤を有する発泡機構とを備え、
それにより、前記摂取可能な材料が送達される間、前記入口開口は、地心に向かって最も近くにある容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、製品。
【請求項１７】
摂取可能な物質を含む容器用の送達キャップであって、
前記容器の内側空洞への開口部を有する前記容器の部分にわたってシールするキャップと、
消費者の口に受け入れられるようにサイズ設定され適合された近位部分と、前記キャップに結合された遠位部分とを有する送達ノズルであって、前記近位部分は、前記摂取可能な物質を前記消費者の前記口に直接送達するように適合された経路からの出口開口を有する、送達ノズルと、
前記送達ノズルの前記経路を通る前記摂取可能な物質の通過を制御する弁であって、前記送達ノズルに結合された近位部分と、前記容器の前記部分の前記開口部を通って前記容器の前記内側空洞に関連付けられた遠位部分であって、入口開口を有する遠位部分、とを有する、弁と、
前記弁に連結された消費者操作可能な流れ制御装置であって、前記摂取可能な物質の、前記内側空洞から、前記送達ノズルの前記経路を通り、前記出口開口から出る流れを制御し、調節する、消費者操作可能な流れ制御装置とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、送達キャップ。
【請求項１８】
摂取可能な物質を保持するようにサイズ設定された空洞を有する容器用の装置であって、
前記容器からの経路を形成する送達ノズルであって、消費者の口に受け入れられるようにサイズ設定され適合された近位部分と、キャップに結合された遠位部分とを有し、前記近位部分は、前記摂取可能な物質を前記消費者の前記口に直接送達するように適合された経路からの出口開口を有する、送達ノズルと、
前記送達ノズルに結合され、内部の前記摂取可能な物質にアクセスするために前記容器の前記空洞と界接するように構成された供給機構を有する弁機構であって、前記摂取可能な材料の、前記第１の空洞から、前記送達ノズルによって形成された前記経路を通る流れを調節するように構成された弁を有する、弁機構と、
前記供給機構に関連付けられたキャップであって、前記キャップを前記容器で保持するための保持機構と、前記キャップと前記容器の間の界接面をシールして前記容器の前記空洞をシールするためのシーリング機構とを有する、キャップと、
消費者操作可能な流れ制御装置であって、前記消費者が前記消費者操作可能な流れ制御装置に加えた物理力に基づいて、流れ無しと最大流量の間で前記流れを変化させるように前記弁を制御する、消費者操作可能な流れ制御装置とを備え、
それにより、前記摂取可能な材料が送達される間、前記入口開口は、地心に向かって最も近くにある前記容器の一部分の近位にあり、前記供給機構の前記入口開口から前記送達ノズルの前記出口開口までのベクトルと、前記供給機構の前記入口開口から前記地心までのベクトルとの間の角度は、９０度を上回るようになる、装置。
【請求項１９】
推進機構であって、前記弁が前記消費者操作可能な流れ制御装置によって制御されたとき、前記摂取可能な物質を前記消費者の前記口に送達するために、前記摂取可能な物質を、前記供給機構を通り、前記送達ノズルの前記遠位部分から出るように推進するのに十分な圧力を前記第１の空洞内に生成するように構成される、推進機構をさらに備える、請求項１８に記載の装置。
【請求項２０】
摂取可能な物質を提供するための装置であって、
摂取可能な物質を保持するための第１の空洞を有する容器であって、前記第１の空洞は、可動部分を有する、容器と、
前記容器からの経路を形成する送達ノズルであって、前記容器から延びる遠位部分と、前記摂取可能な物質を外部の食品に送達するように適合された前記経路からの出口開口を有する近位部分とを備える、送達ノズルと、
前記送達ノズルに結合され、内部の前記摂取可能な物質にアクセスするために前記容器の前記第１の空洞に関連付けられた供給機構を有する弁機構であって、前記摂取可能な材料の、前記第１の空洞から、前記送達ノズルによって形成された前記経路を通る流れを調節するように構成された弁を有する、弁機構と、
前記弁に機械的に結合された消費者操作可能な流れ制御装置であって、前記消費者が前記消費者操作可能な流量制御装置に加えた物理力の程度に比例して、流れ無しと最大流量の間で前記流れを変化させるように前記弁を制御する、消費者操作可能な流れ制御装置と、
前記第１の空洞に結合された推進機構であって、前記弁が前記消費者操作可能な流れ制御装置によって制御されたとき、前記摂取可能な物質を外部のものに送達するために、前記摂取可能な物質を、前記第１の空洞から、前記供給機構を通り、前記送達ノズルの前記遠位部分から出るように推進するのに十分な圧力を前記第１の空洞の前記可動部分に対して生成する、推進機構とを備える、装置。
【請求項２１】
前記第１の空洞の前記可動部分が、変形可能なブラダを含む、請求項２０に記載の装置。
【請求項２２】
前記推進機構が、前記第１の空洞の少なくとも前記可動部分を包囲する第２の空洞を含む、請求項２０に記載の装置。
【請求項２３】
前記第２の空洞が、前記第１の空洞の前記可動部分に対して空気圧を及ぼす、請求項２２に記載の装置。
【請求項２４】
前記第２の空洞が、前記第１の空洞に対して圧力を及ぼすように動くピストンに関連付けられる、請求項２１に記載の装置。
【請求項２５】
前記可動部分が、ピストンを含む、請求項２０に記載の装置。
【請求項２６】
前記推進機構が、前記第１の空洞の前記可動部分に対して圧力を及ぼす弾性部材を含む、請求項２０に記載の装置。
【請求項２７】
前記推進機構が、前記第１の空洞の前記可動部分に対して圧力を及ぼすばね部材を含む、請求項２０に記載の装置。
【請求項２８】
前記容器に剛性に取り付けられた消費者操作式空気ポンプであって、前記消費者操作式空気ポンプに力が及ぼされたとき、前記第１の空洞の前記可動部分に対して圧力を及ぼすための消費者操作式空気ポンプをさらに備える、請求項２０に記載の装置。
【請求項２９】
前記推進機構が、気体を保持する第２の空洞を含む、請求項２０に記載の装置。
【請求項３０】
複数の第１の空洞であって、その各々が、異なる摂取可能な物質を保持するように適合され、可動部分を有する、複数の第１の空洞をさらに含み、
前記推進機構は、前記複数の第１の空洞の各々に結合されて、前記弁が前記消費者操作可能な流れ制御装置によって制御されたとき、前記摂取可能な物質を前記外部食品に送達するために、前記摂取可能な物質を、前記複数の第１の空洞の１つまたは複数の各々から、前記供給機構を通り、前記送達ノズルの前記遠位部分から出るように推進するのに十分な圧力を、前記複数の第１の空洞の前記１つまたは複数の前記可動部分に対して生成する、請求項２０に記載の装置。
【請求項３１】
前記消費者操作可能な流れ制御装置が、前記複数の第１の空洞の前記１つまたは複数の各々からの各摂取可能な物質の送達の割合を変えるように適合される、請求項３０に記載の装置。
【請求項３２】
前記送達ノズルに結合された混合チャンバであって、前記複数の第１の空洞の前記１つまたは複数の各々からの各摂取可能な物質を混合するための混合チャンバをさらに備える、請求項３０に記載の装置。
【請求項３３】
前記ノズルが、前記複数の第１の空洞のうちの１つから前記複数の第１の空洞のうちの別の空洞に回転する、請求項３０に記載の装置。
【請求項３４】
前記推進機構によって生成された圧力が、前記複数の第１の空洞の１つまたは複数に選択的に加えられる、請求項３０に記載の装置。
【請求項３５】
加圧気体を前記摂取可能な物質と混合して、前記摂取可能な物質を非発泡状態から発泡状態に変換し、前記送達ノズルの前記出口開口を前記発泡状態で退出させるための発泡チャンバを有する発泡機構をさらに備える、請求項２０に記載の装置。
【請求項３６】
前記推進機構が、前記加圧気体を含む第２の空洞を含み、前記発泡機構が、前記加圧気体を前記発泡チャンバに送達するための前記第２の空洞から前記発泡チャンバまでの導管を含み、前記発泡機構は、さらに、前記発泡チャンバへの前記加圧気体の流れを調節するための第２の弁を備える、請求項３５に記載の装置。
【請求項３７】
前記導管が、前記第１の空洞の前記可動部分を通過する、請求項３６に記載の装置。
【請求項３８】
前記第２の空洞が、前記第１の空洞に対して圧力を及ぼすように動くピストンに関連付けられ、前記導管は、前記ピストンの開口を通過する、請求項３６に記載の装置。
【請求項３９】
前記第２の空洞が、圧力下で剛性である容器本体によって境界付けられる、請求項２２に記載の装置。
【請求項４０】
摂取可能な物質を提供するための装置であって、
摂取可能な物質を保持するための第１の空洞を有する容器であって、前記第１の空洞は、可動部分を有する、容器と、
前記容器からの経路を形成する送達ノズルであって、前記容器から延びる遠位部分と、前記摂取可能な物質を消費者の口に直接送達するように適合された前記経路からの出口開口を有する近位部分とを備える、送達ノズルと、
前記送達ノズルに結合され、内部の前記摂取可能な物質にアクセスするために前記容器の前記第１の空洞に関連付けられた供給機構を有する弁機構であって、前記摂取可能な材料の、前記第１の空洞から、前記送達ノズルによって形成された前記経路を通る流れを調節するように構成された弁を有する、弁機構と、
前記弁に機械的に結合された消費者操作可能な流れ制御装置であって、前記消費者が前記消費者操作可能な流量制御装置に加えた物理力の程度に比例して、流れ無しと最大流量の間で前記流れを変化させるように前記弁を制御する、消費者操作可能な流れ制御装置と、
前記第１の空洞に結合された推進機構であって、前記弁が前記消費者操作可能な流れ制御装置によって制御されたとき、前記摂取可能な物質を外部のものに送達するために、前記摂取可能な物質を、前記第１の空洞から、前記供給機構を通り、前記送達ノズルの前記遠位部分から出るように推進するのに十分な圧力を前記第１の空洞の前記可動部分に対して生成する、推進機構とを備える、装置。